【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビットストリームの補足拡張情報（ＳＥＩ）ネットワークアブストラクションレイヤ（ＮＡＬ）単位のＮＡＬ単位タイプの値を復号することと、
ここにおいて、前記ＳＥＩ  ＮＡＬ単位の前記ＮＡＬ単位タイプの値は、前記ＮＡＬ単位が、プレフィックスＳＥＩメッセージを含むプレフィックスＳＥＩ  ＮＡＬ単位を備えるか、又はサフィックスＳＥＩメッセージを含むサフィックスＳＥＩ  ＮＡＬ単位を備えるかを示し、
前記ＳＥＩ  ＮＡＬ単位が、復号順でアクセス単位中の最後のビデオコード化レイヤ（ＶＣＬ）ＮＡＬ単位に追随し得ないプレフィックスＳＥＩ  ＮＡＬ単位であるのか、又は前記ＳＥＩ  ＮＡＬ単位が復号順でアクセス単位中の前記最後のＶＣＬ  ＮＡＬ単位に追随し得、復号順で前記アクセス単位中の第１のＶＣＬ  ＮＡＬ単位に先行しないサフィックスＳＥＩ  ＮＡＬ単位であるのかに基づいて、及び前記ＳＥＩ  ＮＡＬ単位のデータに基づいて、前記ビットストリームのビデオデータを復号することと、
を備える方法。
【請求項２】
前記ＳＥＩ  ＮＡＬ単位が前記サフィックスＳＥＩ  ＮＡＬ単位を備えるとき、アクセス単位から前記サフィックスＳＥＩ  ＮＡＬ単位を抽出することを更に備え、前記アクセス単位は復号順で前記サフィックスＳＥＩ  ＮＡＬ単位より前に前記アクセス単位中に第１のＶＣＬ ＮＡＬ単位を少なくとも含む、請求項１に記載の方法。
【請求項３】
前記サフィックスＳＥＩ  ＮＡＬ単位が、復号順で前記アクセス単位中の全てのＶＣＬ  ＮＡＬ単位の後に続く、請求項２に記載の方法。
【請求項４】
ビデオデータを復号するための装置であって、
ビットストリームの補足拡張情報（ＳＥＩ）ネットワークアブストラクションレイヤ（ＮＡＬ）単位のＮＡＬ単位タイプの値を復号するための手段と、
ここにおいて、前記ＳＥＩ  ＮＡＬ単位の前記ＮＡＬ単位タイプの値は、前記ＮＡＬ単位が、プレフィックスＳＥＩメッセージを含むプレフィックスＳＥＩ  ＮＡＬ単位を備えるのか、又はサフィックスＳＥＩメッセージを含むサフィックスＳＥＩ  ＮＡＬ単位を備えるのかを示し、
前記ＳＥＩ  ＮＡＬ単位が、復号順でアクセス単位中の最後のビデオコード化レイヤ（ＶＣＬ）ＮＡＬ単位に追随し得ないプレフィックスＳＥＩ  ＮＡＬ単位であるのか、又は前記ＳＥＩ  ＮＡＬ単位が復号順でアクセス単位中の前記最後のＶＣＬ  ＮＡＬ単位に追随し、復号順で前記アクセス単位中の第１のＶＣＬ  ＮＡＬ単位に先行しないサフィックスＳＥＩ  ＮＡＬ単位であるのかに基づいて、及び前記ＳＥＩ  ＮＡＬ単位のデータに基づいて、前記ビットストリームのビデオデータを復号するための手段と、
を備える装置。
【請求項５】
前記ＳＥＩ  ＮＡＬ単位が前記サフィックスＳＥＩ  ＮＡＬ単位を備えるとき、復号順で前記サフィックスＳＥＩ  ＮＡＬ単位より前に前記アクセス単位中に第１のビデオコード化レイヤ（ＶＣＬ）ＮＡＬ単位を少なくとも含む前記アクセス単位から前記サフィックスＳＥＩ  ＮＡＬ単位を抽出するための手段を更に備える、請求項４に記載の装置。
【請求項６】
前記サフィックスＳＥＩ  ＮＡＬ単位が、復号順で前記アクセス単位中の全てのＶＣＬ  ＮＡＬ単位の後に続く、請求項５に記載の装置。
【請求項７】
ビデオデータを含むビットストリームを生成する方法であって、
符号化ビデオデータに関係するデータを含む補足拡張情報（ＳＥＩ）メッセージに対して、ＳＥＩネットワークアブストラクションレイヤ（ＮＡＬ）単位中に前記ＳＥＩメッセージをカプセル化することと、ここにおいて、前記ＳＥＩ  ＮＡＬ単位は、前記ＳＥＩ  ＮＡＬ単位が、プレフィックスＳＥＩ  ＮＡＬ単位であるのか、サフィックスＳＥＩ  ＮＡＬ単位であるのか、前記ＳＥＩメッセージがプレフィックスＳＥＩメッセージであるのか、サフィックスＳＥＩメッセージであるのかを示すＮＡＬタイプ値を含み、プレフィックスＳＥＩ  ＮＡＬ単位は復号順でアクセス単位中の最後のビデオコード化レイヤ（ＶＣＬ）ＮＡＬ単位に追随し得なく、前記サフィックスＳＥＩ  ＮＡＬ単位は復号順でアクセス単位中の前記最後のＶＣＬ  ＮＡＬ単位に追随し得、復号順で前記アクセス単位中の第１のＶＣＬ  ＮＡＬ単位に先行しなく、
前記ＳＥＩ  ＮＡＬ単位を少なくとも含むビットストリームを生成することと
を備える方法。
【請求項８】
前記ビットストリームを生成することは、前記ＳＥＩ  ＮＡＬ単位がサフィックスＳＥＩ  ＮＡＬ単位であることを前記ＮＡＬ単位タイプ値が示すとき、前記ＳＥＩ  ＮＡＬ単位が、復号順で前記アクセス単位中の第１のビデオコード化レイヤ（ＶＣＬ）ＮＡＬ単位の後にくるようにアクセス単位中に前記ＳＥＩ  ＮＡＬ単位をカプセル化することを備える、請求項７に記載の方法。
【請求項９】
前記ビットストリームを生成することは、前記ＳＥＩ  ＮＡＬ単位が前記サフィックスＳＥＩ  ＮＡＬ単位であることを前記ＮＡＬ単位タイプ値が示すとき、前記ＳＥＩ  ＮＡＬ単位が、更に、復号順で前記アクセス単位中の最後のＶＣＬ  ＮＡＬ単位に追随するように前記アクセス単位中に前記ＳＥＩ  ＮＡＬ単位をカプセル化することを更に備える、請求項８に記載の方法。
【請求項１０】
ビデオデータを含むビットストリームを生成するための装置であって、
補足拡張情報（ＳＥＩ）メッセージネットワークアブストラクションレイヤ（ＮＡＬ）単位に符号化ビデオデータに関するデータを含むＳＥＩメッセージをカプセル化するための手段と、ここにおいて、前記ＳＥＩ  ＮＡＬ単位は、前記ＳＥＩ  ＮＡＬ単位が、プレフィックス単位であるのか、サフィックスＳＥＩ  ＮＡＬ単位であるのか、及び前記ＳＥＩメッセージがプレフィックスＳＥＩメッセージであるのか、サフィックスＳＥＩメッセージであるのかを示すＮＡＬタイプ値を含み、プレフィックスＳＥＩ  ＮＡＬ単位は復号順でアクセス単位中の最後のビデオコード化レイヤ（ＶＣＬ）ＮＡＬ単位に追随し得なく、サフィックスＳＥＩ  ＮＡＬ単位は復号順でアクセス単位中の前記最後のＶＣＬ  ＮＡＬ単位に追随し得、復号順で前記アクセス単位中の第１のＶＣＬ  ＮＡＬ単位に先行しなく、
前記ＳＥＩ  ＮＡＬ単位を少なくとも含むビットストリームを生成するための手段と
を備える装置。
【請求項１１】
前記ビットストリームを生成するための前記手段は、前記ＳＥＩ  ＮＡＬ単位がサフィックスＳＥＩ  ＮＡＬ単位であることを前記ＮＡＬ単位タイプ値が示すとき、前記ＳＥＩ  ＮＡＬ単位が、復号順で前記アクセス単位中の第１のビデオコード化レイヤ（ＶＣＬ）ＮＡＬ単位の後にくるようにアクセス単位中に前記ＳＥＩ  ＮＡＬ単位をカプセル化するための手段を備える、請求項１０に記載の装置。
【請求項１２】
前記ビットストリームを生成するための前記手段は、前記ＳＥＩ  ＮＡＬ単位が前記サフィックスＳＥＩ  ＮＡＬ単位であることを前記ＮＡＬ単位タイプ値が示すとき、前記ＳＥＩ  ＮＡＬ単位が、更に、復号順で前記アクセス単位中の最後のＶＣＬ  ＮＡＬ単位に追随するように前記アクセス単位中に前記ＳＥＩ  ＮＡＬ単位をカプセル化するための手段を更に備える、請求項１１に記載の装置。
【請求項１３】
実行されると、プロセッサに請求項１〜３及び７〜９のいずれか１項に記載の方法を実行させる命令を記憶したコンピュータ可読記憶媒体。